(57)【要約】【課題】  メイン表示部利用時においてもサブ表示部を有効利用することで、様々な表示態様を可能とする。【解決手段】  本発明における携帯端末装置１００は、操作部１１２を有する操作筐体１１０と、操作筐体１１０にヒンジ機構１１４を介して回転自在に連結され、メイン表示部１２２を有するメイン表示筐体１２０と、メイン表示筐体１２０に組み込まれ、操作筐体１１０とメイン表示筐体１２０とが折り畳まれているときに、メイン表示筐体１２０におけるメイン表示部１２２と反対の面にサブ表示部１３２を有するサブ表示筐体１３０と、を備え、操作筐体１１０とメイン表示筐体１２０との開閉に連動して、サブ表示筐体１３０がメイン表示筐体１２０に対して相対的に回動することを特徴としている。【選択図】    図１
2008109526.tif 000002
【特許請求の範囲】
【請求項１】
操作部を有する操作筐体と、
前記操作筐体にヒンジ機構を介して回転自在に連結され、メイン表示部を有するメイン表示筐体と、
前記メイン表示筐体に組み込まれ、前記操作筐体と前記メイン表示筐体とが折り畳まれているときに、該メイン表示筐体における前記メイン表示部と反対の面にサブ表示部を有するサブ表示筐体と、
を備え、
前記操作筐体と前記メイン表示筐体との開閉に連動して、前記サブ表示筐体が前記メイン表示筐体に対して相対的に回動することを特徴とする、携帯端末装置。
【請求項２】
前記操作筐体に固定されたギアである操作ギアと、前記サブ表示筐体に固定されたギアであるサブ表示ギアとが、直接または間接的に噛合していることを特徴とする、請求項１に記載の携帯端末装置。
【請求項３】
前記操作ギアとサブ表示ギアとのギア比は、前記操作筐体と前記メイン表示筐体との角度の最大値に基づいて定まることを特徴とする、請求項２に記載の携帯端末装置。
【請求項４】
操作部を有する操作筐体と、
メイン表示部を有するメイン表示筐体と、
前記操作筐体と一体的に形成または連結され、前記メイン表示筐体を面内で回転自在に支持する支持筐体と、
前記支持筐体に組み込まれ、前記メイン表示筐体と該支持筐体とが該支持筐体の長手方向において重なり合っているときに、該支持筐体における前記メイン表示部と反対の面にサブ表示部を有するサブ表示筐体と、
を備え、
前記メイン表示筐体の前記支持筐体に対する回転に連動して、前記サブ表示筐体が前記支持筐体に対して相対的に回動することを特徴とする、携帯端末装置。
【請求項５】
前記メイン表示筐体の前記支持筐体に対する回転は、ボールねじ機構を通じて前記サブ表示筐体に伝達されることを特徴とする、請求項４に記載の携帯端末装置。
【請求項６】
前記メイン表示筐体の前記支持筐体に対する回転は、冠ギア機構を通じて前記サブ表示筐体に伝達されることを特徴とする、請求項４に記載の携帯端末装置。
【請求項７】
前記メイン表示部と前記サブ表示部に表示される各アプリケーションは、連動することを特徴とする、請求項１〜６のいずれかに記載の携帯端末装置。
【発明の詳細な説明】
【技術分野】
【０００１】
本発明は、メイン表示部とサブ表示部とを表裏に配した携帯端末装置に関する。
【背景技術】
【０００２】
近年、携帯電話やＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）に代表される携帯端末装置の進歩はめざましく、ウェブブラウザやメーラー、その他様々なアプリケーションを実行することが可能になっている。一般にこれらの携帯端末装置は、ボタンやキーが配列された操作部と、液晶等の表示部とを備え、表示部に表示されたアプリケーションの動作画面を参照しつつ、操作部から文字やコマンドを入力することができる。通常、このような操作部および表示部は略板状筐体の一面に配置されているが、操作部を構成するキーの一部は筐体の側面に設けられている場合もある。
【０００３】
しかし、従来の携帯端末装置では表示部に解像度等の制限があったので、一つのアプリケーションのみを画面に表示し、せいぜい時間やアイコンをその画面に重畳することしかできなかった。近年では、表示部の解像度および表示面積も向上し、様々なアプリケーションを並行して実行できるようになった。例えば、表示部の表示領域を複数に分割し、複数のアプリケーションを同時に表示する技術（例えば、特許文献１）も知られている。
【０００４】
また、従来から折り畳み式の携帯端末装置の表裏にメイン表示部とサブ表示部とを設け、その携帯端末装置を折り畳んだ状態であっても、ユーザはサブ表示部によってある程度の情報を得ることができていた。
【特許文献１】特表２００５−５００７８７号公報
【発明の開示】
【発明が解決しようとする課題】
【０００５】
このような折り畳み式の携帯端末装置においては、メイン表示部がウェブブラウザ閲覧やメール、動画閲覧等を表示し、サブ表示部が着信情報や時間等を表示するといった具合に、それぞれ独立したアプリケーションが実行されていた。また、表示部が表裏に設けられている構成から画像を同時に視認することはできず、通常、排他的表示、即ち、一方が表示されているときは他方を表示しないといった処理がなされている。
【０００６】
そこで、本願発明者は、メイン表示部を動作させているときにはサブ表示部を敢えて動作不能にしてしまう従来の構成に着目し、このようなサブ表示部を、携帯端末装置を折り畳んだ状態における表示装置として機能させるとともに、開状態においてもメイン表示部の補助的機能を担わせることができないか検討し、開状態で両表示部を並置する本発明を完成するに至った。
【０００７】
本発明は、従来の折り畳み式携帯端末装置が有する上記問題点に鑑みてなされたものであり、本発明の目的は、メイン表示部利用時においてもサブ表示部を有効利用することで、様々な表示態様を可能とし、サービスの枠を広げ、携帯端末装置の利便性を格段に向上させることが可能な、新規かつ改良された携帯端末装置を提供することである。
【課題を解決するための手段】
【０００８】
上記課題を解決するために、本発明のある観点によれば、操作部を有する操作筐体と、操作筐体にヒンジ機構を介して回転自在に連結され、メイン表示部を有するメイン表示筐体と、メイン表示筐体に組み込まれ、操作筐体とメイン表示筐体とが折り畳まれているときに、メイン表示筐体におけるメイン表示部と反対の面にサブ表示部を有するサブ表示筐体と、を備え、操作筐体とメイン表示筐体との開閉に連動して、サブ表示筐体がメイン表示筐体に対して相対的に回動することを特徴とする、携帯端末装置が提供される。
【０００９】
かかる構成により、携帯端末装置の開動作に連動してサブ表示部をメイン表示部に並置することが可能となる。従って、サブ表示部は、携帯端末装置を折り畳んでいるときに、メイン表示筐体におけるメイン表示部と反対の面で単独でサブ表示を行い、開いているときに、メイン表示部と等しい面でメイン表示部を補助してアプリケーションを連動表示することができる。このようにメイン表示部利用時においてもサブ表示部を有効利用することで、メイン表示部に新たな表示部を追加することなく、様々な表示態様が可能となる。従って、サービスの枠が広がり、携帯端末装置の利便性を格段に向上させることができる。
【００１０】
操作筐体に固定されたギアである操作ギアと、サブ表示筐体に固定されたギアであるサブ表示ギアとが、直接または間接的に噛合しているとしてもよい。
【００１１】
かかる構成により、操作筐体とメイン表示筐体との回転動作を、サブ表示筐体に確実に伝達することができ、操作筐体とメイン表示筐体との回転角度に応じて、サブ表示筐体を回動することができる。従って、操作筐体とメイン表示筐体との開角度が最大角度になったとき、サブ表示部を１８０°回転させて、メイン表示部と同時に視認させることが可能となる。
【００１２】
操作ギアとサブ表示ギアとのギア比は、操作筐体とメイン表示筐体との角度の最大値に基づいて定まるとしてもよい。
【００１３】
操作筐体とメイン表示筐体との角度の最大値は１８０°以下であるのに対して、サブ表示ギアは１８０°回転することとなる。従って、ギア比を１８０°対、開状態時の角度の最大値とすることで、操作筐体とメイン表示筐体との少ない回転量を、サブ表示筐体の１８０°の回転量に変換できる。
【００１４】
例えば、操作筐体とメイン表示筐体との角度の最大値が１６０°の場合、操作ギアと、サブ表示ギアのギア比は、９対８とすることができる。
【００１５】
上記課題を解決するために、本発明の別の観点によれば、操作部を有する操作筐体と、メイン表示部を有するメイン表示筐体と、操作筐体と一体的に形成または連結され、メイン表示筐体を面内で回転自在に支持する支持筐体と、支持筐体に組み込まれ、メイン表示筐体と支持筐体とが支持筐体の長手方向において重なり合っているときに、支持筐体におけるメイン表示部と反対の面にサブ表示部を有するサブ表示筐体と、を備え、メイン表示筐体の支持筐体に対する回転に連動して、サブ表示筐体が支持筐体に対して相対的に回動することを特徴とする、携帯端末装置が提供される。
【００１６】
かかる構成により、上述した発明同様、メイン表示部の面内の回転動作に連動して、サブ表示部をメイン表示部と同時に視認させることが可能となる。従って、サブ表示部は、メイン表示筐体と支持筐体とが支持筐体の長手方向において重なり合っているときに、支持筐体におけるメイン表示部と反対の面で単独でサブ表示を行い、メイン表示部を所定の角度に回転したときに、メイン表示部と等しい面でメイン表示部を補助してアプリケーションを連動表示することができる。
【００１７】
メイン表示筐体の支持筐体に対する回転は、ボールねじ機構を通じてサブ表示筐体に伝達されるとしてもよいし、また、冠ギア機構を通じてサブ表示筐体に伝達されるとしてもよい。
【００１８】
かかるメイン表示筐体の回転軸とサブ表示筐体の回転軸は直交している。従って、上述した構成によりメイン表示筐体の回転方向を９０°変更させる必要がある。
【００１９】
メイン表示部とサブ表示部に表示される各アプリケーションは、連動するとしてもよい。
【００２０】
かかる構成により、独立した２つの表示部を有効に利用したアプリケーションを適用することが可能となる。
【発明の効果】
【００２１】
以上説明したように本発明の携帯端末装置によれば、メイン表示部利用時においてもサブ表示部を有効利用することで、様々な表示態様を可能とし、サービスの枠を広げ、携帯端末装置の利便性を格段に向上させることができる。
【発明を実施するための最良の形態】
【００２２】
以下に図面を参照しながら、本発明の好適な実施の形態について詳細に説明する。なお、本明細書及び図面において、実質的に同一の機能構成を有する構成要素については、同一の符号を付することにより重複説明を省略する。
【００２３】
携帯電話、ＰＨＳ等の折り畳み式の携帯端末装置では、携帯端末装置を折り畳んでいるときにサブ表示部から着信情報や時間等の情報を得て、開いているときにメイン表示部を利用してウェブブラウザ、メール、動画等を閲覧している。即ち、メイン表示部とサブ表示部は、同時に視認することはできず、それぞれ独立したアプリケーションが実行されていた。
【００２４】
以下に示す本実施形態による携帯端末装置では、このようなサブ表示部を、携帯端末装置を折り畳んだ状態における表示装置として機能させるとともに、開状態においてもメイン表示部の補助的機能を担わせることで、様々な表示態様を可能にさせ、サービスの枠を広げると共に、携帯端末装置の利便性を格段に向上させることができる。
【００２５】
（第１の実施形態：携帯端末装置１００）
図１は、携帯端末装置１００の外観を示した斜視図である。かかる図１を参照すると、携帯端末装置１００は、操作筐体１１０と、メイン表示筐体１２０と、サブ表示筐体１３０とを含んで構成される。
【００２６】
上記操作筐体１１０は、キーボード、十字キー、ジョイスティック等のスイッチから構成される操作部１１２を有し、操作部１１２は、ユーザによる操作入力を受け付ける。また、メイン表示筐体１２０を連結するヒンジ機構１１４の操作筐体１１０側部位には操作ギア１１６が固定されている。
【００２７】
また、操作筐体１１０は、中央処理装置（ＣＰＵ）を含む半導体集積回路により携帯端末装置１００全体を管理および制御する端末制御部や、ＲＯＭ、ＲＡＭ、Ｅ２ＰＲＯＭ、不揮発性ＲＡＭ、フラッシュメモリ、ＨＤＤ（Ｈａｒｄ  Ｄｉｓｋ  Ｄｒｉｖｅ）等で構成され、上記端末制御部で処理されるプログラムやアプリケーションが記憶され端末メモリ等も埋設されている。
【００２８】
上記メイン表示筐体１２０は、操作筐体１１０にヒンジ機構１１４を介して、操作筐体１１０の短手方向の軸を中心に回転自在に連結される。ここでは、理解を容易にするため１軸のヒンジ機構１１４を示しているが、かかる場合に限られず、操作筐体１１０の短手方向の軸と長手方向の軸との２軸で構成することもできるし、それ以上の軸で構成することも可能である。
【００２９】
また、メイン表示筐体１２０は、カラーまたはモノクロの液晶等からなるメイン表示部１２２を有し、このメイン表示部１２２は、ディスプレイで構成され、通信網を介してアプリケーションサーバから提供される、ＷｅｂブラウザやアプリケーションのＧＵＩ（Ｇｒａｐｈｉｃａｌ  Ｕｓｅｒ  Ｉｎｔｅｒｆａｃｅ）、また、携帯端末装置１００内の設定情報等のメイン表示を行う。
【００３０】
上記サブ表示筐体１３０は、メイン表示筐体１２０に組み込まれ、操作筐体１１０とメイン表示筐体１２０とが折り畳まれているときに、メイン表示筐体１２０におけるメイン表示部１２２と反対の面に位置するサブ表示部１３２で着信情報や時間情報等のサブ表示を行う。また、サブ表示筐体１３０には、操作ギア１１６と軸方向を共にし、中間ギア１３４、１３６を介して操作ギア１１６に噛合されるサブ表示ギア１３８が固定される。かかるサブ表示部１３２も、メイン表示部１２２同様、カラーまたはモノクロのディスプレイで構成される。サブ表示部１３２は、メイン表示部１２２に対して比較的小さいことが多い。
【００３１】
ユーザが当該携帯端末装置１００を利用しようと試みた場合、重畳している操作筐体１１０とメイン表示筐体１２０とをヒンジ機構１１４を中心に開き、その開状態でメイン表示部１２２を参照しながら操作部１１２を操作する。このとき、本実施形態の携帯端末装置１００では、操作筐体１１０とメイン表示筐体１２０との回転に連動して、サブ表示筐体１３０がメイン表示筐体１２０に対して相対的に回動する。従って、メイン表示筐体１２０を完全に開いた場合、図１に示すように、サブ表示筐体１３０が回転してメイン表示部１２２に並置される。
【００３２】
従って、サブ表示部１３２は、携帯端末装置１００を折り畳んでいるときに、メイン表示筐体１２０におけるメイン表示部１２２と反対の面で単独でサブ表示を行い、開いているときにメイン表示部１２２と等しい面でメイン表示部１２２を補助してアプリケーションを連動表示することができる。このようにメイン表示部１２２利用時においてもサブ表示部１３２を有効利用することで、メイン表示部１２２に新たな表示部を追加することなく、様々な表示態様が可能となる。
【００３３】
また、サブ表示部１３２は、閉状態でも開状態でも利用しうるので、携帯端末装置１００の開閉動作においてもサブ表示部１３２の表示を消す必要がなく、閉状態時のアプリケーションを開状態においても連続して利用することができる。
【００３４】
また、図１においては、操作ギア１１６とサブ表示ギア１３８との間には２個の中間ギア１３４，１３６が設けられているため、図１左に示す矢印の方向にメイン表示筐体１２０を回転させると（開くと）、それぞれのギアが中心軸を図１に示される方向に回動する。中間ギアはその個数、即ち、中間ギアが奇数個か偶数個かでサブ表示筐体１３０の回転方向を調整できる。
【００３５】
例えば、図１に示したような方向にサブ表示筐体１３０を回転させる構成にしておき、携帯端末装置１００を開くと、サブ表示部１３２があたかも３６０°回転したように錯覚するので視覚的な興趣を高める。また、逆方向に回転させる構成にしておき、携帯端末装置１００を開くと、サブ表示部１３２が操作筐体１１０に対してほとんど回転していないことになるので、開けている最中にもサブ表示部１３２の表示を見続けることができる。このように携帯端末装置１００の利用用途に応じて、回転方向を設定することも可能である。
【００３６】
かかる連動回転の構成により、操作筐体１１０とメイン表示筐体１２０との回転を、サブ表示筐体１３０に確実に伝達することができ、操作筐体１１０とメイン表示筐体１２０との回転角度に応じて、サブ表示筐体１３０を回動することができる。従って、操作筐体１１０とメイン表示筐体１２０との開角度が最大角度になったとき、サブ表示部１３２を１８０°回転させて、メイン表示部１２２と同時視認させることが可能となる。図１は、このようなサブ表示筐体１３０がメイン表示部１２２と同時に視認できるようになった状態を示している。
【００３７】
このとき、操作ギア１１６と、サブ表示ギア１３８のギア比は、操作筐体１１０とメイン表示筐体１２０との角度の最大値に基づいて定まるとしてもよい。
【００３８】
操作筐体１１０とメイン表示筐体１２０との角度の最大値は１８０°以下の、例えば、１６０°であるのに対して、サブ表示ギアは１８０°回転することとなる。従って、ギア比を１８０°対、開状態時の角度の最大値とすることで、操作筐体１１０とメイン表示筐体１２０との少ない回転量を、サブ表示筐体の１８０°の回転量に変換できる。例えば、操作筐体１１０とメイン表示筐体１２０との角度の最大値が１６０°の場合、操作ギア１１６と、サブ表示ギア１３８のギア比は、９対８となる。
【００３９】
図２は、操作筐体１１０とメイン表示筐体１２０とが折り畳まれている状態から開状態に移行する際のサブ表示筐体１３０の動作を示した説明図である。図２（ａ）は折り畳まれている状態（閉状態）を示し、ここでは、メイン表示部１２２は視認できず、サブ表示部１３２のみを参照することができる。図２（ｂ）は、完全な開状態になる前の状態で、このときサブ表示筐体１３０は回動の途中であり、サブ表示部１３２はヒンジ機構１１４側（図２（ｂ）下側）を向いている。
【００４０】
そして、図２（ｃ）に示すように、メイン表示筐体１２０を完全に開くと、サブ表示筐体１３０のサブ表示部１３２もメイン表示部１２２の下に並置され、メイン表示部１２２と連動して、各アプリケーションを実行可能となる。
【００４１】
上記連動されるアプリケーションとしては、例えば、クイズ形式のアプリケーションがある。これは、メイン表示部１２２に問題文もしくは問題画面が表示され、数秒後に回答がサブ表示部１３２に表示されるといったものである。また、情報検索において、検索結果をメイン表示部１２２に表示し、その文章の各単語部分にカーソルを合わせるとその単語の意味がサブ表示部１３２に表示されるといった態様も実行できる。その他、様々なアプリケーションも適用することが可能である。
【００４２】
また、２つの表示部の位置的独立性を利用して、例えば、メイン表示部１２２において動画を視聴している最中に着信したメールをサブ表示部１３２で視認することによって、メイン表示部１２２の動画視聴を中止することなく、サブ表示部１３２のメールの内容を確認することができる。また、文字放送等のサービスをサブ表示部１３２に適用することも可能である。
【００４３】
さらに、２つの表示部を連動させるゲームやグラフィック系アプリケーション等を適用することも可能となる。
【００４４】
以上、説明した携帯端末装置１００により、サブ表示部１３２の利用効率を上げることができ、様々な表示態様が可能となる。以下に、携帯端末装置の他の例を説明する。
【００４５】
（第２の実施形態：携帯端末装置３００）
図３は、携帯端末装置３００の外観を示した斜視図である。かかる図３を参照すると、携帯端末装置３００は、操作筐体３１０と、メイン表示筐体３２０と、支持筐体３３０と、サブ表示筐体３４０とを含んで構成される。上記操作筐体３１０、メイン表示筐体３２０、サブ表示筐体３４０は、第１の実施形態における構成要素として既に述べた操作筐体１１０、メイン表示筐体１２０、サブ表示筐体１３０と実質的にユーザインターフェースにかかる機能が同一なので重複説明を省略し，ここでは，構成が相違する点を主に説明する。
【００４６】
上記操作筐体３１０は、操作部３１２を有する。
【００４７】
上記メイン表示筐体３２０は、メイン表示部３２２を有する。また、メイン表示筐体３２０には、送りねじ３３２にボールを介して周設されたナット３２４がヒンジ３２６を介して固定され、送りねじ３３２とでボールねじ機構を構成している。メイン表示筐体３２０が回転すると、ヒンジ３２６におけるメイン表示筐体３２０に固定されたメイン側部位３２６ａが両矢印で示したように変位しながらヒンジ軸３２６ｂおよびナット側部位３２６ｃを押進し、ナット側部位３２６ｃに固定されたナット３２４が支持筐体３３０に対して短手方向に直線移動する。このように、ヒンジ３２６はメイン表示筐体３２０の回転によるナット３２４との角度差を吸収する。
【００４８】
上記支持筐体３３０は、操作筐体３１０と一体的に形成または連結され、メイン表示筐体３２０を面内で回転自在に支持する。例えば、支持筐体３３０と操作筐体３１０とは、ヒンジ機構３１４を介して回転自在に連結されてもよい。また、支持筐体３３０には、ナット３２４の直線移動に応じて支持筐体３３０の短手方向を軸として回転する送りねじ３３２が設けられる。
【００４９】
上記サブ表示筐体３４０は、支持筐体３３０に組み込まれ、メイン表示筐体３２０と支持筐体３３０とが支持筐体３３０の長手方向において重なり合っているときに、支持筐体３３０におけるメイン表示部３２２と反対の面にあるサブ表示部３４２でサブ表示を行う。また、サブ表示筐体３４０にはベルト受け３４４が固定され、ベルト３４６を通じて送りねじ３３２の回転を受ける。
【００５０】
ユーザが当該携帯端末装置３００のメイン表示部３２２を横に倒そうと試みた場合、自動もしくは手動でメイン表示筐体３２０を図３の矢印の方向（時計と反対回り）に９０°回転させる。このとき、本実施形態の携帯端末装置３００は、メイン表示筐体３２０の支持筐体３３０に対する回転に連動して、サブ表示筐体３４０が支持筐体３３０に対して相対的に回動する。
【００５１】
詳細には、メイン表示筐体３２０が支持筐体３３０に対して回転し、メイン表示筐体３２０にヒンジ３２６を介して固定されたナット３２４が支持筐体３３０の短手方向右向きに直線移動する。その直線移動は、ボールねじ機構によって、矢印で示したような送りねじ３３２の軸中心の回転に変換され、ベルト３４６を通じてベルト受け３４４に伝達される。こうしてサブ表示部３４２がメイン表示部３２２に並置される。
【００５２】
従って、サブ表示部３４２は、メイン表示筐体３２０と支持筐体３３０とが支持筐体３３０の長手方向において重なり合っているときに、支持筐体３３０におけるメイン表示部３２２と反対の面で単独でサブ表示を行い、メイン表示部３２２を所定の角度に回転したときに、メイン表示部３２２と等しい面でメイン表示部３２２を補助してアプリケーションを連動表示することができる。このようにメイン表示部３２２利用時においてもサブ表示部３４２を有効利用することで、メイン表示部３２２に新たな表示部を追加することなく、様々な表示態様が可能となる。
【００５３】
また、図３においては、メイン表示筐体３２０のナット３２４と支持筐体３３０の送りねじ３３２とによるボールねじ機構によって本実施形態を実現しているが、冠ギアによっても実現することができる。
【００５４】
図４は、連結機構の他の例を示した説明図である。図４においては、メイン表示筐体３２０に固定された冠ギア３２８がメイン表示筐体３２０と連動して回転する。そして、支持筐体３３０に設けられた小ギア３３４によって支持筐体３３０の短手方向軸周りの回転に変換される（冠ギア機構）。かかる小ギア３３４の回転はベルト３４６を通じてベルト受け３４４に伝達されるが、かかる伝達構造は図３を用いて既に説明されているのでここでは省略する。
【００５５】
かかる構成により、メイン表示筐体３２０と支持筐体３３０との回転を、サブ表示筐体３４０に確実に伝達することができ、メイン表示筐体３２０と支持筐体３３０との回転角度に応じて、サブ表示筐体３４０を回動させることができる。従って、メイン表示筐体３２０と支持筐体３３０とが９０°の角度になったとき、サブ表示部を１８０°回転させて、メイン表示部３２２と同時視認させることが可能となる。
【００５６】
このような軸を９０°変更して回転させるギア機構は、上述した例に限られず、メイン表示筐体３２０の回転もしくは回転による直線移動を、その回転軸と直交するサブ表示筐体３４０の回転として伝達することができる様々なギア機構、例えば、かさ歯車（ｂｅｖｅｌ  ｇｅａｒ）やねじ歯車（ｓｃｒｅｗ  ｇｅａｒ）等を適用することができる。
【００５７】
図５は、図３に示した携帯表示装置３００のメイン表示筐体３２０を９０°回転させた場合のサブ表示筐体３４０の動作を示した説明図である。図５（ａ）は回転前状態（重なり合っている状態）を示し、ここでは、まだ、サブ表示部３４２がメイン表示部３２２と反対の面に位置している。図５（ｂ）は、メイン表示筐体３２０を少し回転した状態で、このときサブ表示筐体３４０は回動の途中であり、ヒンジ機構３１４側（図５（ｂ）下側）を向いている。
【００５８】
このとき、支持筐体３３０によるメイン表示筐体３２０の支持機構は、支持筐体３３０に設けられたスライド溝４００と、メイン表示筐体３２０に固定されたスライド部材４１０とから構成され、かかるスライド溝４００の案内を受けてスライド部材４１０がスライドすることで、メイン表示筐体３２０は、支持筐体３３０から離脱することなく、スムーズに回転することができる。
【００５９】
そして、図５（ｃ）に示すように、メイン表示筐体３２０の長手方向が横になると、サブ表示筐体３４０のサブ表示部３４２も、横になったメイン表示部３２２の下に並置され、メイン表示部３２２と連動して、各アプリケーションを実行可能となる。連動されるアプリケーションに関しては、既に第１の実施形態で説明しているので、ここでは説明を省略する。
【００６０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６１】
例えば、上述した実施形態においては、サブ表示筐体を操作筐体の短手方向の軸回りに回転させているが、かかる場合に限られず、操作筐体長手方向に回転させることも可能である。
【００６２】
また、上述した実施形態においては、理解を容易にするため、ギアの円周上全てにおいて歯を形成しているが、かかる場合に限られず、占有空間やコストに応じて、必要な部分のみ歯を設けて、そこ以外は欠歯させることもできる。
【００６３】
また、上述した第２の実施形態においては、理解を容易にするため、操作筐体と支持筐体とがヒンジ機構を介して回転自在に連結される構造を挙げて説明したが、連結構造はヒンジ機構に限られず、操作筐体と支持筐体とが一体的に形成された例えばストレートタイプの構造であってもよい。
【産業上の利用可能性】
【００６４】
本発明は、メイン表示部とサブ表示部とを表裏に配した携帯端末装置に利用することができる。
【図面の簡単な説明】
【００６５】
【図１】本発明の第１の実施形態における携帯端末装置の外観を示した斜視図である。
【図２】同実施形態における操作筐体とメイン表示筐体とが折り畳まれている状態から開状態に移行する際のサブ表示筐体の動作を示した説明図である。
【図３】本発明の第２の実施形態における携帯端末装置の外観を示した斜視図である。
【図４】同実施形態におけるメイン表示ギアとサブ表示ギアの他の例を示した説明図である。
【図５】同実施形態におけるメイン表示筐体を９０°回転させた場合のサブ表示筐体の動作を示した説明図である。
【符号の説明】
【００６６】
１００、３００  携帯端末装置
１１０、３１０  操作筐体
１１２、３１２  操作部
１１４、３１４  ヒンジ機構
１１６  操作ギア
１２０、３２０  メイン表示筐体
１２２、３２２  メイン表示部
１３０、３４０  サブ表示筐体
１３２、３４２  サブ表示部
１３８  サブ表示ギア
３２４  ナット
３２８  冠ギア
３３２  送りねじ
３３４  小ギア
３３０  支持筐体
【図１】
2008109526.tif 000003
【図２】
2008109526.tif 000004
【図３】
2008109526.tif 000005
【図４】
2008109526.tif 000006
【図５】
2008109526.tif 000007